(57)【要約】【課題】携帯端末を使用不能にすると共に、有価物の回収効率を上げ易くする携帯端末破壊機を提供する。【解決手段】携帯端末１を受け入れる携帯端末受入部２を設け、携帯端末受入部２に反力受け部３を設けると共に、反力受け部３で受ける方向とは反対方向から携帯端末１を押付ける押圧装置４を設けて、反力受け部３と押圧装置４とにより携帯端末１を曲げて破壊する曲げ破壊機構５を構成し、曲げ破壊機構５を作動操作する入力部を設けてある。【選択図】図１
2011249999.tif 000002
【特許請求の範囲】
【請求項１】
携帯端末を受け入れる携帯端末受入部を設け、
前記携帯端末受入部に反力受け部を設けると共に、前記反力受け部で受ける方向とは反対方向から携帯端末を押付ける押圧装置を設けて、前記反力受け部と前記押圧装置とにより携帯端末を曲げて破壊する曲げ破壊機構を構成し、
前記曲げ破壊機構を作動操作する入力部を設けてある携帯端末破壊機。
【請求項２】
前記携帯端末受入部に受け入れる携帯端末に対して、表裏両面側に夫々前記反力受け部を配設し、前記押圧装置を前記携帯端末を介して前記反力受け部夫々に押付け可能に構成してある請求項１に記載の携帯端末破壊機。
【請求項３】
前記携帯端末受入部に受け入れる携帯端末の長手方向の複数箇所夫々に、前記曲げ破壊機構を配設してある請求項１に記載の携帯端末破壊機。
【請求項４】
携帯端末載置部を設け、
前記携帯端末載置部を反力受け部として、携帯端末の表面に突き刺し可能な第１食込み突起を周部に多数設けた回転体を、携帯端末に対して押付ける押付け機構を設けると共に、前記携帯端末載置部に載置する携帯端末の表面に沿って前記回転体を相対移動自在に支持する移動機構を設け、
前記押付け機構および前記移動機構を作動操作する入力部を設けてある携帯端末破壊機。
【請求項５】
前記携帯端末載置部に、携帯端末の表面に突き刺し可能な第２食込み突起を多数分散配置してある請求項４に記載の携帯端末破壊機。
【請求項６】
携帯端末の表面に突き刺し可能な第１食込み突起を周部に多数設けた第１回転体を、回転軸の軸心方向に所定間隔あけて複数個取り付けてある第１回転突き刺し装置と、
携帯端末の表面に突き刺し可能な第２食込み突起を周部に多数設けた第２回転体を、回転軸の軸心方向に所定間隔をあけて複数個取り付けてある第２回転突き刺し装置とを、夫々の回転軸の径方向に並設し、
前記第１回転突き刺し装置と前記第２回転突き刺し装置との間に携帯端末挿入部を形成し、
前記携帯端末挿入部に携帯端末を挿入するに伴って、携帯端末に前記第１食込み突起と前記第２食込み突起が食込むように前記第１回転突き刺し装置と前記第２回転突き刺し装置との離間距離を設定してある携帯端末破壊機。
【請求項７】
前記第１回転突き刺し装置と前記第２回転突き刺し装置との離間距離を変更自在にする間隔調整機構を設けてある請求項６に記載の携帯端末破壊機。
【請求項８】
携帯端末の表裏両面を挟圧する一対の第１、第２挟圧部を設け、
前記第１挟圧部と前記第２挟圧部とを携帯端末に対する挟圧状態でその挟圧面に沿って互いに反対方向に相対移動操作する剪断作動機構を設けてある携帯端末破壊機。
【請求項９】
前記第１挟圧部と前記第２挟圧部に、携帯端末の表面に食込み係止する係止部を夫々設けてある請求項８に記載の携帯端末破壊機。
【請求項１０】
携帯端末の表裏両面を挟圧して圧壊する一対の圧壊手段を設け、
その圧壊手段を作動する入力手段を設けてある携帯端末破壊機。
【請求項１１】
前記圧壊手段の挟圧表面に凹凸部を設けてある請求項１０に記載の携帯端末破壊機。
【発明の詳細な説明】
【技術分野】
【０００１】
本発明は、携帯電話、ＰＨＳ、ＰＤＡなどの携帯端末を破壊する携帯端末破壊機に関する。
【背景技術】
【０００２】
近年、種々の新機能を搭載した携帯端末が次々と供給され、それに伴って、旧機種から新機種の携帯端末への買い替え需要が高まり、旧機種が廃棄されることが多くなっている。
そして、廃棄される旧機種の携帯端末は、個人情報の漏洩防止のために、電気的に機能破壊したり（例えば、特許文献１参照）、円錐状のパンチ部を、携帯端末の特定箇所に突き刺して、携帯端末としての機能を機械的に破壊することが行われている（例えば、特許文献２参照）。
機能破壊された携帯端末は、その後、リサイクルのために、シュレッダーなどで細かく粉砕されている。
【先行技術文献】
【特許文献】
【０００３】
【特許文献１】特開２００３−１５７４１１号公報
【特許文献２】特開２００５−６４６２９号公報
【発明の概要】
【発明が解決しようとする課題】
【０００４】
しかし、リサイクルのために粉砕された携帯端末から、金、銀、銅、アルミニウムなどの金属やレアメタルなどの有価物を回収するには、金属以外の合成樹脂や板ガラス等の混在割合が多く、前記有価物の回収効率が悪いという問題があった。
【０００５】
従って、本発明の目的は、上記問題点を解消し、携帯端末を使用不能にすると共に、有価物の回収効率を上げ易くする携帯端末破壊機を提供するところにある。
【課題を解決するための手段】
【０００６】
本発明は、一般的に携帯端末の表裏両面側には、合成樹脂や板ガラスなどで成形されたケーシングが存在し、表側ケーシングと裏側ケーシングとの間に、プリント配線基板を介在させた状態で連結して組み立てられている。
その組み立て構造において、表側ケーシング、裏側ケーシング、及び、プリント配線基板を分離し易くして、前記有価物が集中的に多く存在するプリント配線基板を優先的に取り出しやすくすればよいことに着目して、発明するに至ったものである。
【０００７】
本発明の第１の特徴構成は、携帯端末を受け入れる携帯端末受入部を設け、携帯端末受入部に反力受け部を設けると共に、前記反力受け部で受ける方向とは反対方向から携帯端末を押付ける押圧装置を設けて、前記反力受け部と前記押圧装置とにより携帯端末を曲げて破壊する曲げ破壊機構を構成し、前記曲げ破壊機構を作動操作する入力部を設けてあるところにある。
【０００８】
本発明の第１の特徴構成によれば、一般的に、プリント配線基板は、ガラス繊維、紙、カーボン繊維などで補強されたエポキシ樹脂やフェノール樹脂やポリイミド樹脂などで形成されていることが多く、ケーシングなどの合成樹脂に比べて強度が高いために、携帯端末受入部に受け入れた携帯端末を、曲げ破壊機構により曲げ破壊作動させれば、表側ケーシング及び裏側ケーシングが優先的に破壊されるか、もしくは、表裏両ケーシング同士の連結部及びケーシングとプリント配線基板との連結部が破壊されやすく、ケーシングに対してプリント配線基板を分離し易くなる。
従って、携帯端末を使用不能に機能破壊できながら、プリント配線基板を優先的に摘出し易くなり、有価物の回収効率を上げることができる。
【０００９】
本発明の第２の特徴構成は、前記携帯端末受入部に受け入れる携帯端末に対して、表裏両面側に夫々前記反力受け部を配設し、前記押圧装置を前記携帯端末を介して前記反力受け部夫々に押付け可能に構成してあるところにある。
【００１０】
本発明の第２の特徴構成によれば、本発明の第１の特徴構成による上述の作用効果を叶えることができるのに加えて、表裏両面側に夫々配設する前記反力受け部に対し、押圧装置により交互に押付け方向を変えて押圧することにより、携帯端末は表裏両側に繰り返し折り曲げることができ、プリント配線基板の表裏両面側に存在するケーシングが破壊され易くなる。
従って、携帯端末の中からより簡単にプリント配線基板を優先的に摘出し易くなる。
【００１１】
本発明の第３の特徴構成は、前記携帯端末受入部に受け入れる携帯端末の長手方向の複数箇所夫々に、前記曲げ破壊機構を配設してあるところにある。
【００１２】
本発明の第３の特徴構成によれば、携帯端末の長手方向の複数箇所夫々に、曲げ破壊機構を配設することにより、携帯端末の長さの異なる多種多様の機種にも対応して曲げ破壊できる。しかも、複数箇所に設けた曲げ破壊機構により複数箇所の曲げ破壊をすることができ、ケーシングの破壊が容易になる。
【００１３】
本発明の第４の特徴構成は、携帯端末載置部を設け、前記携帯端末載置部を反力受け部として、携帯端末の表面に突き刺し可能な第１食込み突起を周部に多数設けた回転体を、携帯端末に対して押付ける押付け機構を設けると共に、前記携帯端末載置部に載置する携帯端末の表面に沿って前記回転体を相対移動自在に支持する移動機構を設け、前記押付け機構および前記移動機構を作動操作する入力部を設けてあるところにある。
【００１４】
本発明の第４の特徴構成によれば、入力部への操作力の入力により、回転体を携帯端末の表面に押付けながら移動させることにより、第１食込み突起を携帯端末の表面全体に突き刺すことができる。そのために、携帯端末の機能破壊をより確実にできると共に、ケーシングが優先的に破壊され、従って、ケーシング内に収容されたプリント配線基板を取り出しやすくできる。
【００１５】
本発明の第５の特徴構成は、前記携帯端末載置部に、携帯端末の表面に突き刺し可能な第２食込み突起を多数分散配置してあるところにある。
【００１６】
本発明の第５の特徴構成によれば、携帯端末載置部に携帯端末を載置して、その携帯端末に回転体を押付け移動させるだけで、第１食込み突起と共に第２食込み突起が、携帯端末の表裏両面を同時に突き刺して破壊することができ、携帯端末の機能破壊及びケーシングの破壊を、よりスムーズに行なうことができる。
【００１７】
本発明の第６の特徴構成は、携帯端末の表面に突き刺し可能な第１食込み突起を周部に多数設けた第１回転体を、回転軸の軸心方向に所定間隔あけて複数個取り付けてある第１回転突き刺し装置と、携帯端末の表面に突き刺し可能な第２食込み突起を周部に多数設けた第２回転体を、回転軸の軸心方向に所定間隔をあけて複数個取り付けてある第２回転突き刺し装置とを、夫々の回転軸の径方向に並設し、前記第１回転突き刺し装置と前記第２回転突き刺し装置との間に携帯端末挿入部を形成し、前記携帯端末挿入部に携帯端末を挿入するに伴って、携帯端末に前記第１食込み突起と前記第２食込み突起が食込むように前記第１回転突き刺し装置と前記第２回転突き刺し装置との離間距離を設定してあるところにある。
【００１８】
本発明の第６の特徴構成によれば、前記第１回転突き刺し装置と前記第２回転突き刺し装置との間の携帯端末挿入部に、携帯端末を挿入するに伴って、携帯端末に前記第１食込み突起と前記第２食込み突起が食込み、携帯端末の表裏両面が同時に破壊され易くなり、表裏両ケーシングに挟まれたプリント配線基板を取り出しやすくできる。
【００１９】
本発明の第７の特徴構成は、前記第１回転突き刺し装置と前記第２回転突き刺し装置との離間距離を変更自在にする間隔調整機構を設けてあるところにある。
【００２０】
本発明の第７の特徴構成によれば、機種の異なった携帯端末の厚さに応じて、間隔調整機構を操作することで、プリント配線基板をあまり破壊せずに表裏両ケーシングから分離しやすくなる。
【００２１】
本発明の第８の特徴構成は、携帯端末の表裏両面を挟圧する一対の第１、第２挟圧部を設け、前記第１挟圧部と前記第２挟圧部とを携帯端末に対する挟圧状態でその挟圧面に沿って互いに反対方向に相対移動操作する剪断作動機構を設けてあるところにある。
【００２２】
本発明の第８の特徴構成によれば、第１、第２挟圧部と剪断作動機構により、表裏両ケーシング同士の連結部に応力が集中して破壊され、表側ケーシングと裏側ケーシングとを、互いに反対方向に引き剥がし易くなる。そのために、表裏両ケーシングにより挟まれたプリント配線基板を取り出しやすくできる。したがって、有価物の回収効率が向上する。
【００２３】
本発明の第９の特徴構成は、前記第１挟圧部と前記第２挟圧部に、携帯端末の表面に食込み係止する係止部を夫々設けてあるところにある。
【００２４】
本発明の第９の特徴構成によれば、前記第１、第２挟圧部で携帯端末の表裏両面を挟圧する際に、第１挟圧部と第２挟圧部夫々に設けた係止部が食込んで係止するために、第１、第２挟圧部が携帯端末の表裏夫々の面で滑らずに携帯端末に剪断作動機構による剪断力をかけやすくなる。そのために、表裏両ケーシングとプリント配線基板とを、よりスムーズに分離し易くできる。
【００２５】
本発明の第１０の特徴構成は、携帯端末の表裏両面を挟圧して圧壊する一対の圧壊手段を設け、その圧壊手段を作動する入力手段を設けてあるところにある。
【００２６】
本発明の第１０の特徴構成によれば、圧壊手段により、携帯端末の表面のケーシングは破壊され易くなり、ケーシングからプリント配線基板を分離し易くできる。
【００２７】
本発明の第１１の特徴構成は、前記圧壊手段の挟圧表面に凹凸部を設けてあるところにある。
【００２８】
本発明の第１１の特徴構成によれば、携帯端末の表面に接触する圧壊手段の挟圧表面に、凹凸部を設けることにより、その凹凸部の内の特に凸部に応力が集中して、携帯端末の表面のケーシングは、よりスムーズに破壊され易くなる。従って、効率よくプリント配線基板を摘出でき、有価物回収効率を上げることができる。
【図面の簡単な説明】
【００２９】
【図１】実施形態１の縦断面図である。
【図２】実施形態１の一部切欠き斜視図である。
【図３】実施形態２の斜視図である。
【図４】実施形態２の側面図で、（ａ）は押付け前、（ｂ）は押付け後の状態を示す図である。
【図５】実施形態３の一部切欠き斜視図である。
【図６】実施形態４において、（ａ）は挟圧前の側面図、（ｂ）は挟圧して剪断操作前の縦断面図、（ｃ）は挟圧して剪断操作後の縦断面図である。
【図７】実施形態５の縦断面図である。
【図８】実施形態５の一部切欠き斜視図である。
【図９】実施形態１の変形例を示す縦断面図である。
【図１０】実施形態１の変形例を示す縦断面図である。
【図１１】（ａ）、（ｂ）は実施形態１の変形例を示す縦断面図である。
【図１２】実施形態１の変形例を示す一部切欠き斜視図である。
【図１３】実施形態１の変形例を示す縦断面図である。
【図１４】実施形態３の変形例を示す要部縦断面図である。
【発明を実施するための形態】
【００３０】
以下に本発明の実施の形態を図面に基づいて説明する。
本発明の携帯端末破壊機は、個人情報の漏洩を防止するために、端末機としての機能を破壊して使用不能にすると共に、シュレッダーのように全てを細かく粉砕するのではなく、表側ケーシング、裏側ケーシング、及び、プリント配線基板を分離し易くして、金、銀、銅、アルミニウムなどの金属やレアメタルなどの有価物が集中的に多く存在するプリント配線基板を優先的に取り出しやすくして、リサイクルの処理効率を上げるために発明されたもので、携帯電話の破壊処理を例にして、次の複数の実施形態に示す。
【００３１】
〔実施形態１〕
本発明の携帯端末破壊機は、図１〜図２に示すように、携帯端末１の一例としての携帯電話を受け入れる携帯端末受入部２を設け、携帯端末受入部２に反力受け部３を設けると共に、反力受け部３で受ける方向とは反対方向から携帯端末１を押付ける押圧装置４を設けて、反力受け部３と押圧装置４とにより携帯端末１を曲げて破壊する曲げ破壊機構５を構成し、その曲げ破壊機構５を作動操作する入力部６を設けて構成してある。
【００３２】
前記反力受け部３は、携帯端末受入部２に受け入れる携帯電話１に対して、その長手方向の両端側に一対設けた第１反力受け部材７と第２反力受け部材８とに形成し、それらの第１反力受け部材７と第２反力受け部材８との間に、押圧装置４が出退自在に配置してある。
第１反力受け部材７と第２反力受け部材８は、機種の異なる携帯電話１に対応すべく、相互の離間距離を変更自在に、ネジ式の支持ロッド９を介して装置本体１０に取り付けてある。
【００３３】
前記入力部６は、てこの原理を利用して人為操作により押圧装置４に押圧力を与えるもので、下端部を装置本体１０に枢支軸１１を介して上下揺動自在に取り付けてある揺動操作レバー１２を設け、その揺動操作レバー１２の中間部に連結ピン１３を介して押圧装置４を連結して、揺動操作レバー１２の上下揺動操作に基づいて、押圧装置４が携帯電話１の中間部を反力受け部３側に押圧移動するように、装置本体１０に押圧装置４を取り付けてある。
【００３４】
〔実施形態２〕
図３、図４に示すように、携帯端末載置部１４を設け、携帯端末載置部１４を反力受け部３として、携帯端末１の表面に突き刺し可能な第１食込み突起１５を周部に多数設けた回転体１６を、携帯端末１に対して押付ける押付け機構１７を設けると共に、携帯端末載置部１４に載置する携帯端末１の表面に沿って回転体１６を相対移動自在に支持する移動機構１８を設け、押付け機構１７および移動機構１８を作動操作する入力部６を設けてある。
【００３５】
押付け機構１７は、回転体１６を携帯端末載置部１４の上面に沿って移動自在に支持する支持フレーム１９を上下平行移動自在に支持する４連リンク機構２０を設けて、その４連リンク機構２０に設けた取っ手２１の押付け操作で、回転体１６を携帯端末１に上下押付け可能に構成してある（図４（ａ）→（ｂ））。
支持フレーム１９には、回転体１６に回転軸２２を介して一体に取付けたピニオンギア２３と、そのピニオンギア２３に噛み合うラック２４を設け、回転軸２２を回転操作する回転操作ハンドル２５を設けて、回転操作ハンドル２５の回転操作により、回転体１６が回転しながら横移動するように構成してある。
携帯端末載置部１４には、携帯端末１の表面に突き刺し可能な第２食込み突起２６を多数分散配置して、回転体１６を携帯端末１に押付け操作するに伴って、第１食込み突起１５と第２食込み突起２６が、携帯端末１の表裏両面に同時に食込み破壊するように構成してある。
【００３６】
〔実施形態３〕
図５に示すように、携帯端末１の表面に突き刺し可能な第１食込み突起２７を周部に多数設けた第１回転体２８を、回転軸２９の軸心方向に所定間隔あけて複数個取り付けてある第１回転突き刺し装置３０と、携帯端末１の表面に突き刺し可能な第２食込み突起３１を周部に多数設けた第２回転体３２を、回転軸３３の軸心方向に所定間隔をあけて複数個取り付けてある第２回転突き刺し装置３４とを、夫々の回転軸２９，３３の径方向に並設すると共に、第１回転体２８と第２回転体３２とが軸心方向に互い違いに位置を異ならせた状態に配置し、第１回転突き刺し装置３０と第２回転突き刺し装置３４との間に携帯端末挿入部６１を形成し、携帯端末挿入部６１に携帯端末１を挿入するに伴って、携帯端末１に第１食込み突起２７と第２食込み突起３１が食込むように第１回転突き刺し装置３０と第２回転突き刺し装置３４との離間距離を設定してある。
尚、第１回転突き刺し装置３０と第２回転突き刺し装置３４は、互いに噛み合う一対の第１、第２ギア３５，３６により連動させ、夫々をモーターＭによる駆動力で駆動回転するように構成してある。
【００３７】
〔実施形態４〕
図６（ａ）、（ｂ）、（ｃ）に示すように、携帯端末１の表裏両面を挟圧する一対の第１、第２挟圧部３７，３８を設け、第１挟圧部３７と第２挟圧部３８とを携帯端末１に対する挟圧状態でその挟圧面に沿って互いに反対方向に相対移動操作する剪断作動機構３９を設けてある。
【００３８】
前記第１挟圧部３７と前記第２挟圧部３８には、携帯端末１の表面に食込み係止する係止部４０を夫々設けてあり、挟持する携帯端末１にその挟持面に沿った方向の剪断力が効率よく作用するように構成してある。
【００３９】
携帯端末１を受け入れる載置台に第２挟圧部３８を設け、第１挟圧部３７は、上下平行移動するリンク機構からなる支持フレーム４１に、横移動自在に取付け、ラック４２とピニオンギア４３とからなる横移動機構４４を設け、ラック４２を第１挟圧部３７に設けると共に、ピニオンギア４３を支持フレーム４１に回転自在に取付け、ピニオンギア４３の回転軸４５に回転操作ハンドル４６又は、駆動モーターを取り付けて、ピニオンギア４３の回転操作に基づいて、第１挟圧部３７が第２挟圧部３８に対して相対的に反対方向に横移動する剪断作動機構３９を構成してある（図６（ｂ）→（ｃ））。
支持フレーム４１には、第１挟圧部３７を第２挟圧部３８上の携帯端末１に対して、挟圧操作する取っ手４７を取り付けてある。
【００４０】
〔実施形態５〕
図７、図８に示すように、携帯端末１の表裏両面を挟圧して圧壊する一対の圧壊手段４８を設け、
その圧壊手段４８を作動する倍力機構か、ジャッキ式機構５０などで構成された入力手段５２を設け、圧壊手段４８の挟圧表面には、凹凸部５１を設けてある。
【００４１】
〔別実施形態〕
以下に他の実施の形態を説明する。
【００４２】
〈１〉  実施形態１において、図９に示すように、前記携帯端末受入部２に受け入れる携帯端末１に対して、表裏両面側に夫々反力受け部３を配設し、押圧装置４を携帯端末１を介して反力受け部３夫々に押付け可能に構成してあってもよい。従って、揺動操作レバー１２の往復揺動操作により、押圧装置４の押圧方向を繰り返し逆方向に切換操作することにより、携帯端末１が繰り返し互いに逆方向に曲がり、携帯端末１の破壊がより確実に行われる。また、図１０に示すように、携帯端末１の長手方向の略中央部に一対の挟持部材５３を配設すると共に、その挟持部材５３夫々に携帯端末１の表裏両面に対する反力受け部３を形成し、挟持部材５３の両側で、且つ、挟持部材５３の挟持方向と平行に往復移動する押圧装置４を配設してあっても良い。
〈２〉  実施形態１の改良において、図１１（ａ）、図１１（ｂ）、図１２に示すように、携帯端末受入部２に受け入れた携帯端末１に対し、その長手方向の略中央部に押圧装置４を設けると共に、その押圧装置４の両側で、携帯端末１の表裏両面側に対応した反力受け部３を夫々設ける。前記押圧装置４を構成するに、携帯端末１の表裏両側に接当自在な一対の接当押圧部５４を設け、一対の接当押圧部５４間の中間部を回動支点５５として揺動操作レバー１２の揺動操作により、一対の接当押圧部５４が互いに反対方向から携帯端末１を押圧して、反力部材３との共同作用により携帯端末１に複数の曲げ作用を与えられるようにしてあっても良い（図１１（ａ）→（ｂ））。また、図１３に示すように、上記一対の接当押圧部５４を設けた揺動操作レバー１２の２本を、リンク機構５６を介して同時に揺動するように連携させてあれば、互いが反力受け部になると同時に、同時に曲げ作用を発揮する。なお、夫々の接当押圧部５４の接当面には、多数の突起５７を設けて、携帯端末１のケーシングに対して曲げ作用のみならず、突き刺し破壊作用をも発揮するように構成してある。また、携帯端末受入部２に受け入れる携帯端末１の長手方向の複数箇所夫々に、曲げ破壊機構５を配設してあっても良い。
〈３〉  実施形態２において、携帯端末載置部１４に、携帯端末１の表面に突き刺し可能な第２食込み突起２６を設けない場合であっても良い。この場合は、回転体１６による携帯端末１の一方側の面を破壊した後、携帯端末１を反転させて、他方側の面を再び回転体１６により破壊すればよい。
〈４〉  実施形態３において、図１４に示すように、第１回転突き刺し装置３０と第２回転突き刺し装置３４との離間距離を変更自在にする間隔調整機構５８を設けてあっても良い。この場合、互いに噛み合う第１補助ギア５９と第２補助ギア６０を設け、第１補助ギア５９に噛み合いながらその軸心回りに位置変更自在に第１ギア３５を取付けると共に、第２補助ギア６０に噛み合いながらその軸心回りに位置変更自在に第２ギア３６を取り付けて、前記間隔調整機構５８を構成してある。また、第１回転突き刺し装置３０と第２回転突き刺し装置３４とは、モーターによる駆動回転に限らず、手動による回転機構を設けてあっても良い。
〈５〉  実施形態４において、前記第１挟圧部３７と前記第２挟圧部３８に、係止部４０の代わりに、摩擦係数の大きな接当面を夫々設けてあっても良い。
〈６〉  実施形態５において、前記圧壊手段４８の挟圧表面には、多数の食込み突起を設けてあっても良い。
【００４３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４４】
１      携帯端末
２      携帯端末受入部
３      反力受け部
４      押圧装置
５      曲げ破壊機構
６      入力部
１４    携帯端末載置部
１５    第１食込み突起
１６    回転体
１７    押付け機構
１８    移動機構
２６    第２食込み突起
２７    第１食込み突起
２８    第１回転体
２９    回転軸
３０    第１回転突き刺し装置
３１    第２食込み突起
３２    第２回転体
３３    回転軸
３４    第２回転突き刺し装置
３７    第１挟圧部
３８    第２挟圧部
３９    剪断作動機構
４０    係止部
４８    圧壊手段
５１    凹凸部
５２    入力手段
５８    間隔調整機構
６１    携帯端末挿入部
【図１】
2011249999.tif 000003
【図２】
2011249999.tif 000004
【図３】
2011249999.tif 000005
【図４】
2011249999.tif 000006
【図５】
2011249999.tif 000007
【図６】
2011249999.tif 000008
【図７】
2011249999.tif 000009
【図８】
2011249999.tif 000010
【図９】
2011249999.tif 000011
【図１０】
2011249999.tif 000012
【図１１】
2011249999.tif 000013
【図１２】
2011249999.tif 000014
【図１３】
2011249999.tif 000015
【図１４】
2011249999.tif 000016